(57)【特許請求の範囲】
【請求項１】
帯状をなす基材シートと、この基材シートの一方の面に積層された接着剤層とを備えて筒状体に巻回されるとともに、虫を誘引する誘引手段と回収手段とを備えた捕虫器に繰り出し可能に支持されて使用後に当該回収手段で回収される捕虫シートであって、
リード端領域及び／又は最終端領域に非接着領域を設け、当該非接着領域は、前記リード端及び／又は最終端から捕虫シートの所定長さに亘って、前記一方の面側全体に接着剤層を積層又は露出しないことにより形成されることを特徴とする捕虫シート。
【請求項２】
前記捕虫器により基材シートは、筒状体から延びて誘引手段に沿う第１の領域と、この第１の領域に連なるとともに、少なくとも二つの案内部材を介して第１の領域と異なる向きとされる第２の領域と、この第２の領域に連なって前記回収手段までの第３の領域とを有するように繰り出し可能に設けられ、
前記最終端領域の非接着領域の長さは、第１及び第２の領域の長さを足した長さ以上に設定されていることを特徴とする請求項１記載の捕虫シート。
【請求項３】
前記捕虫器により基材シートは、筒状体から延びて誘引手段に沿う第１の領域と、この第１の領域に連なるとともに、少なくとも二つの案内部材を介して第１の領域と異なる向きとされる第２の領域と、この第２の領域に連なって前記回収手段までの第３の領域とを有するように繰り出し可能に設けられ、
前記リード端領域の非接着領域の長さは、第１、第２及び第３の領域の長さを足した長さ以上に設定されていることを特徴とする請求項１記載の捕虫シート。
【請求項４】
前記非接着領域は、基材シートと別体のシートを取り付けることで形成されることを特徴とする請求項１、２又は３記載の捕虫シート。
【発明の詳細な説明】
【技術分野】
【０００１】
本発明は、捕虫シートに係り、更に詳しくは、接着剤により不用意に汚れることを防止することができる捕虫シートに関する。
【背景技術】
【０００２】
従来より、例えば、食品や粘着シート、精密機械等の製品に虫が混入することを防止するために捕虫器が利用されている。このような捕虫器にあっては、一方の面に接着剤層を備えて筒状体の巻回される捕虫シート（特許文献１参照）を用いたタイプのものがあり、同捕虫器は、捕虫用の光源と、前記筒状体に挿通されて捕虫シートを支持する支持軸とを備えている。捕虫シートは、ロール状に巻回された状態から光源の近傍に繰り出されて停止した状態で光源に誘引された虫を捕獲し、その後、再度繰り出しを行うことで回転軸にロール状に巻き取られて回収される。
【０００３】
【特許文献１】特開平８−１７２９９９号公報
【発明の開示】
【発明が解決しようとする課題】
【０００４】
しかしながら、特許文献１の捕虫シートでは、最終端まで繰り出した瞬間、当該最終端が筒状体から離れて支持を失った状態となる。このため、捕虫シートの最終端領域が落下し、その接着剤が捕虫器やフロア面、他の設備等の意図しない部位に付着して汚してしまうという不都合を招来する（図６参照）。また、捕虫シートを捕虫器にセットすべくリード端領域を前記回転軸等に掛け回す時に、作業者の手や衣服に接着剤が付着し易くなる、という不都合もある。
また、このような捕虫シートに用いられる接着剤は、被着体に対して接着剤が転移し易い性質を有し、付着すると取り除くことが困難であり、洗浄するために特殊な洗剤を必要とするばかりでなく、多大な労力が必要になる、という不都合がある。
【０００５】
［発明の目的］
本発明は、このような不都合に着目して案出されたものであり、その目的は、意図しない部位に接着剤層が付着することを防止することができる捕虫シートを提供することにある。
【課題を解決するための手段】
【０００６】
前記目的を達成するため、本発明は、帯状をなす基材シートと、この基材シートの一方の面に積層された接着剤層とを備えて筒状体に巻回されるとともに、虫を誘引する誘引手段と回収手段とを備えた捕虫器に繰り出し可能に支持されて使用後に当該回収手段で回収される捕虫シートであって、
リード端領域及び／又は最終端領域に非接着領域を設け、当該非接着領域は、前記リード端及び／又は最終端から捕虫シートの所定長さに亘って、前記一方の面側全体に接着剤層を積層又は露出しないことにより形成される、という構成を採っている。
【０００７】
本発明において、前記捕虫器により基材シートは、筒状体から延びて誘引手段に沿う第１の領域と、この第１の領域に連なるとともに、少なくとも二つの案内部材を介して第１の領域と異なる向きとされる第２の領域と、この第２の領域に連なって前記回収手段までの第３の領域とを有するように繰り出し可能に設けられ、
前記最終端領域の非接着領域の長さは、第１及び第２の領域の長さを足した長さ以上に設定される、という構成を採るとよい。
【０００８】
更に、前記捕虫器により基材シートは、筒状体から延びて誘引手段に沿う第１の領域と、この第１の領域に連なるとともに、少なくとも二つの案内部材を介して第１の領域と異なる向きとされる第２の領域と、この第２の領域に連なって前記回収手段までの第３の領域とを有するように繰り出し可能に設けられ、
前記リード端領域の非接着領域の長さは、第１、第２及び第３の領域の長さを足した長さ以上に設定される、という構成を採ることが好ましい。
【０００９】
また、前記非接着領域は、基材シートと別体のシートを取り付けることで形成されるとよい。
【発明の効果】
【００１０】
本発明によれば、最終端領域に非接着領域を設けたので、当該最終端が筒状体から離れて支持がなくなって落下しても、捕虫器やフロア面等に接着剤が付着してしまうことはなくなる。また、リード端領域に非接着領域を設けたので、捕虫シートを捕虫器に掛け回す時に、作業者が接着剤に触れることを回避することができる。これにより、接着剤の付着により不用意なる汚れが生じることを防止することができ、洗浄等に要する労力をなくすことができる他、捕虫シートを取り扱う作業性を向上することが可能となる。
【００１１】
また、最終端領域の非接着領域を前述した長さとすれば、最終端領域が支持を失って落下したとしても、接着剤が不用意部位に付着することをより良く防止することができる。
【００１２】
更に、リード端領域の非接着領域を前述した長さとすれば、作業者が捕虫シートを捕虫器回す時に、作業者の手や衣服に接着剤が付着することを防止することができる。
【００１３】
また、基材シートと別体のシートを取り付けることで非接着領域を簡単に形成することが可能となる。
【発明を実施するための最良の形態】
【００１４】
以下、本発明の好ましい実施の形態について図面を参照しながら説明する。
なお、本明細書の方向若しくは位置を示す用語は、特に明示しない限り、図１を正面から見た場合を基準とし、「前」とは同図中手前側を示す一方、「後」とは、同奥行き側について用いられ、「左」「右」も同様に正面から見た場合を基準とする。
【００１５】
図１には、実施形態に係る捕虫シートが適用された捕虫器の概略正面図が示されている。この図において、捕虫器１０は、虫を誘引する誘引手段１１と、この誘引手段１１の近傍に繰り出される捕虫シート１２を有する捕虫材１３と、捕虫シート１２の繰り出しを許容し保持可能に設けられた保持手段１５とを備えて構成されている。
【００１６】
前記誘引手段１１は、図示しない電力源に接続される蛍光灯１７により構成されている。蛍光灯１７は、脚部材１９から立設された背面フレーム２０に支持されている。なお、蛍光灯１７は、虫を誘引可能な波長の光、例えば紫外線を発光するものが好ましい。
【００１７】
前記捕虫シート１２は、ロール状に巻回された状態から誘引手段１１の右側近傍を通過するように下方に繰り出される。その後、捕虫シート１２は、誘引手段１１の下方において、前記背面フレーム２０に支持アーム２１により支持された案内部材としての左右一対のローラ２２を介して左方向に案内された後、誘引手段１１の左側を通過するように上方に導かれるようになっている。捕虫シート１２は、図２、図３（Ａ）及び（Ｂ）に示されるように、帯状をなす基材シート１２Ａと、この基材シート１２Ａの一方の面（図３（Ｂ）中上面）に積層された接着剤層１２Ｂとからなる２層構造になっており、この接着剤層１２Ｂ側に剥離シート１２Ｃが仮着されている。基材シート１２Ａの短手方向両端、すなわち、図３中左右両端に沿う位置には、前記接着剤層１２Ｂを積層しない第１の非接着領域１２Ｄがそれぞれ設けられている。
【００１８】
ここで、図４（Ａ）及び（Ｂ）に示されるように、捕虫シート１２のリード端領域１２ａ及び最終端領域１２ｂには第２の非接着領域１２Ｅがそれぞれ設けられている。各非接着領域１２Ｅは、リード端、最終端から捕虫シート１２の所定長さに亘って、図４（Ａ）中上面側全体に接着剤層１２Ｂを積層しないことにより形成されている。つまり、各第２の非接着領域１２Ｅでは、剥離シート１２Ｃを取り除くと、基材シート１２Ａの表面だけが表出することとなる。
【００１９】
前記捕虫材１３は、図２及び図５に示されるように、前記捕虫シート１２と、この捕虫シート１２を巻回する筒状体２５と、筒状体２５の軸線方向両側すなわち図５中左右両側にそれぞれ設けられた一対の側板２６と、各側板２６を固定するための一対の固定手段２７とを備えて構成されている。このように構成される捕虫材１３は、捕虫シート１２から染み出した接着剤が他のものに付着しないようなパッケージとして取り扱われる。
【００２０】
前記各側板２６は、略ドーナツ盤状にそれぞれ形成されている。各側板２６の直径寸法は、筒状体２５に巻回された使用前の捕虫シート１２の直径寸法より大きく設定され、捕虫シート１２の端面が外方にはみ出ることのない面形状にそれぞれ形成されている。各側板２６は、その内面が捕虫シート１２の短手方向両端に接するように設けられている。また、各側板２６の内面には、フッ素加工等の非接着処理が施されており、捕虫シート１２の短手方向両側から前記接着剤層１２Ｂの接着剤が染み出ても、当該接着剤とは接着しないようになっている。
【００２１】
前記各固定手段２７は、筒状体２５の軸方向両側における内周面側に嵌め込み可能な嵌合部２９と、この嵌合部２９の外側端部に連設されて側板２６の外面に添設して当該側板２６の脱落を防止する押さえ部３０とを備えている。
【００２２】
前記嵌合部２９は、側板２６及び筒状体２５の各内周面に沿う円筒状の挿入部２９Ａと、この挿入部２９Ａの内部に設けられて後述する支持軸３２が挿通される丸穴２９Ｃが形成された内壁２９Ｂとを備えている。
【００２３】
前記保持手段１５は、図１に示されるように、前記筒状体２５と側板２６と固定手段２７とに挿通可能に設けられ、パッケージ状態のまま捕虫材１３を支持する支持軸３２と、この支持軸３２の近傍に設けられた剥離手段３３及び回収手段３４とを備えて構成されている。
【００２４】
前記支持軸３２は、背面フレーム２０の上方に位置するプレート３５に支持され、前記丸穴２９Ｃに挿通可能に設けられている。支持軸３２の先端側には、上端側が支持軸３２の上部位置より突出するストッパ３６が設けられている。ストッパ３６は、上下幅が丸穴２９Ｃの内径寸法より小さく設定され、当該丸穴２９Ｃ内を挿通可能に設けられるとともに、支持軸３２を丸穴２９Ｃ内に挿通したときに、図５中左側の固定手段２７の内壁２９Ｂに当接して筒状体２５の脱落を防止するようになっている。
【００２５】
前記支持軸３２の他端側には、移動規制部材３８が設けられている。図５において、移動規制部材３８は、左端が固定手段２７の内壁２９Ｂに当接し、右端がプレート３５に当接するように設けられており、側板２６又は押さえ部材３０とプレート３５との間に隙間Ｓを確保するようになっている。
【００２６】
前記剥離手段３３は、支持軸３２から繰り出された捕虫シート１２を下方に導くガイドローラ３９と、剥離シート１２Ｃを上方へ導く剥離用ローラ４０とを備えている。剥離用ローラ４０により剥離された剥離シート１２Ｃは、上ガイドローラ４２を経由して回収手段３４へ案内される。また、剥離シート１２Ｃが剥離された捕虫シート１２は、未使用の接着剤層１２Ｂを表出しつつ誘引手段１１を囲むように各ローラ２２、４３を経由して回収手段３４へ案内される。
【００２７】
前記回収手段３４は、プレート３５に支持された単一の巻取軸３４Ａと、当該巻取軸３４Ａに取り付けられて巻取紙管３４Ｃを支持する固定部材３４Ｂとにより構成されている。この巻取軸３４Ａは、プレート３５の後方に取り付けられた操作ハンドル４４を回すことで基材シート１２Ａ及び剥離シート１２Ｃの巻き取りを行えるようになっている。
【００２８】
前記捕虫器１０は、図１に示される状態から、蛍光灯１７を発光させると、その光は、基材シート１２Ａ及び接着剤層１２Ｂを透過して外部に発せられる。すると、その光に誘引されて虫が蛍光灯１７に近付くように飛来し、接着剤層１２Ｂに接触した虫が当該接着剤層１２Ｂに接着されて捕獲される。
【００２９】
そして、一定期間の捕虫が完了すると、操作ハンドル４４を矢印Ｒ１方向に回転操作する。これにより、巻取軸３４Ａが回転して捕虫材１３が引っ張れてＲ２方向に回転し、捕虫シート１２がガイドローラ３９によって下方へ、剥離シート１２Ｃが剥離用ローラ４０によって上方へ繰り出され、未使用の接着剤層１２Ｂが誘引手段１１を囲むように繰り出される。
【００３０】
以上のように、捕虫器１０において、操作ハンドル４４を回転することにより、剥離シート１２Ｃの剥離及び回収と、誘引手段１１周辺への未使用の接着剤層１２Ｂの繰り出しと、使用済みの基材シート１２Ａの回収とを同時に行えるようになる。
【００３１】
ところで、図６に示されるように、前記捕虫器１０により繰り出される基材シート１２Ａは、順に連なる第１〜第３の領域Ｌ１〜Ｌ３を備えている。第１の領域Ｌ１は、筒状体２５から延びて右側のローラ２２までの上下に延びる領域とされる。第２の領域Ｌ２は、左右のローラ２２間の領域とされ、第３の領域Ｌ３は、左側のローラ２２から回収手段３４までの上下に延びる領域とされる。
ここで、捕虫シート１２の全ての領域を繰り出して当該捕虫シート１２の最終端が筒状体２５から離れた瞬間、最終端領域１２ｂが支持を失い落下してフロア面や脚部材１９上に接触する状態となる。このとき、捕虫シート１２の最終端領域１２ｂには第２の非接着領域１２Ｅが設けられるので、フロア面等に接着剤層１２Ｂの接着剤が付着することを回避可能となる。この接着剤の付着を回避すべく、最終端領域の第２の非接着領域１２Ｅの長さは、第１及び第２の領域Ｌ１、Ｌ２の長さを足した長さ以上に設定されていることが好ましい。
【００３２】
また、前記リード端領域１２ａの第２の非接着領域１２Ｅの長さは、第１、第２及び第３の領域Ｌ１、Ｌ２、Ｌ３長さを足した長さ以上に設定するとよい。これによれば、捕虫シート１２のセット作業、具体的には、筒状体２５から捕虫シート１２を所定長さ引き出し、リード端領域１２ａを各ローラ３９、２２、４３に掛け回し、巻取軸３４Ａに固定する作業を行うときに、作業者が接着剤層１２Ｂに触れることを防止することができる。
【００３３】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３４】
例えば、前記第２の非接着領域１２Ｅは、図７に示されるように、基材シート１２Ａと別体のシート１２Ｆを取り付けることで形成してもよい。同図では、基材シート１２Ａのリード端及び最終端からはみ出るようにシートＦを接着剤層１２Ｂに接着して取り付けている。
【００３５】
また、前記第２の非接着領域１２Ｅは、リード端領域１２ａ及び最終端領域１２ｂの何れか一方だけに設ける構成としてもよい。
【図面の簡単な説明】
【００３６】
【図１】実施形態に係る捕虫シートが適用された捕虫器の概略正面図。
【図２】捕虫材の概略斜視図。
【図３】（Ａ）は、捕虫シートの正面図、（Ｂ）は、（Ａ）のＡ矢視断面図。
【図４】（Ａ）は、捕虫シートを展開した断面図、（Ｂ）は、（Ａ）の平面図。
【図５】図１のＢ矢視部分拡大断面図。
【図６】捕虫シートの繰り出しを終えた後の状態を説明するための平面図。
【図７】変形例に係る捕虫シートの図４（Ａ）及び（Ｂ）と同様の図。
【符号の説明】
【００３７】
１０  捕虫器
１１  誘引手段
１２  捕虫シート
１２Ａ  基材シート
１２Ｂ  接着剤層
１２Ｃ  剥離シート
１２Ｅ  第２の非接着領域（非接着領域）
１２Ｆ  シート
１２ａ  リード端領域
１２ｂ  最終端領域
２２  ローラ（案内部材）
２５  筒状体
３４  回収手段
Ｌ１  第１の領域
Ｌ２  第２の領域
Ｌ３  第３の領域
【図１】
0005002475.tif 000002
【図２】
0005002475.tif 000003
【図３】
0005002475.tif 000004
【図４】
0005002475.tif 000005
【図５】
0005002475.tif 000006
【図６】
0005002475.tif 000007
【図７】
0005002475.tif 000008